(57)【特許請求の範囲】
【請求項１】
映像信号の垂直帰線消去期間に重畳されているデータであるＶＢＩデータを抽出する抽出手段と、
前記ＶＢＩデータの各ビット位に対して１つずつ設けられた発光ダイオードから成る第１の表示手段と、
前記抽出手段によって抽出されたデータの対応するビット位のビットに応じて前記各発光ダイオードの点灯／消灯を切り替える表示制御手段と、
前記ＶＢＩデータがとり得る、それぞれ異なるビットパターンをもった複数の基準データを記憶しており、これらの複数の基準データを択一的に出力する記憶手段と、
該記憶手段から出力される前記基準データを切り替えるための判定モード切り替え手段と、
前記抽出手段によって抽出されたデータと前記記憶手段から出力される前記基準データとが一致するか否かを判定する判定手段と、
該判定手段での判定結果に応じた表示を行う第２の表示手段と、
を備えたことを特徴とするＶＢＩデータ評価用装置。
【請求項２】
映像信号の垂直帰線消去期間に重畳されているデータであるＶＢＩデータを抽出する抽出手段と、
前記ＶＢＩデータの各ビット位に対して１つずつ設けられた発光ダイオードから成る第１の表示手段と、
前記抽出手段によって抽出されたデータの対応するビット位のビットに応じて前記各発光ダイオードの点灯／消灯を切り替える表示制御手段と、
前記ＶＢＩデータがとり得る、それぞれ異なるビットパターンをもった複数の前記基準データを記憶している記憶手段と、
該記憶手段に記憶されている前記複数の基準データの中から前記抽出手段によって抽出されたデータとビットパターンが一致するものを検出する検出手段と、
該検出手段での検出結果に応じた表示を行う第２の表示手段と、
を備えたことを特徴とするＶＢＩデータ評価用装置。
【請求項３】
映像信号の垂直帰線消去期間に重畳されているデータであるＶＢＩデータを抽出する抽出手段と、該抽出手段によって抽出されたデータを表示する表示手段と、を備えたことを特徴とするＶＢＩデータ評価用装置。
【請求項４】
前記抽出手段によって抽出されたデータが基準データと一致しているか否かを判定する判定手段と、該判定手段での判定結果に応じた表示を行う第２の表示手段と、を備えているとともに、前記基準データは前記ＶＢＩデータがとり得るビットパターンをもったものであることを特徴とする請求項３に記載のＶＢＩデータ評価用装置。
【請求項５】
前記基準データのビットパターンを前記ＶＢＩデータがとり得る複数のビットパターンの中で切り替え可能であることを特徴とする請求項４に記載のＶＢＩデータ評価用装置。
【請求項６】
前記ＶＢＩデータがとり得る、それぞれ異なるビットパターンをもった複数の基準データの中から前記抽出手段によって抽出されたデータとビットパターンが一致するものを検出する検出手段と、該検出手段での検出結果に応じた表示を行う第２の表示手段と、を備えたことを特徴とする請求項３に記載のＶＢＩデータ評価用装置。
【発明の詳細な説明】
【０００１】
【発明の属する技術分野】
本発明は、映像信号の垂直帰線消去期間に重畳されているデータを評価するためのＶＢＩデータ評価用装置に関するものである。
【０００２】
【従来の技術】
特許第３１６２０４４号の公報に開示されているように、例えば、ＮＴＳＣ（Ｎａｔｉｏｎａｌ  Ｔｅｌｅｖｉｓｉｏｎ  Ｓｙｓｔｅｍ  Ｃｏｍｍｉｔｅｅ）方式の映像信号では、その垂直帰線消去期間に含まれる第２０Ｈ、第２８３Ｈ（それぞれ１フレームにおける２０番目、２８３番目の水平同期期間）に、映像を表示する際のアスペクト比や映像信号の記録の可否などを指定するデータが重畳される場合がある。以下、映像信号の垂直帰線消去期間に重畳されているデータをＶＢＩデータと称する。
【０００３】
例えば、ＤＶＤ（Ｄｉｇｉｔａｌ  Ｖｉｄｅｏ  Ｄｉｓｋ）に記録されている映像信号を再生して出力するＤＶＤプレーヤの開発段階あるいは製造工程においては、ＤＶＤプレーヤから出力される映像信号に重畳されているＶＢＩデータを評価する必要があるが、従来は、ＶＢＩデータが重畳されている部分における映像信号の波形そのものをシンクロスコープを用いてモニタすることによって、ＶＢＩデータの評価を行っていた。
【０００４】
【発明が解決しようとする課題】
このように、従来は、映像信号の波形そのものをモニタすることによってＶＢＩデータの評価を行っていたため、ＶＢＩデータの評価を短時間で且つ容易に行うことができなかった
【０００５】
そこで、本発明は、評価対象である映像信号に重畳されているＶＢＩデータを短時間で且つ容易に確認することができるようにしたＶＢＩデータ評価用装置を提供することを第１の目的とする。
【０００６】
また、本発明は、ＶＢＩデータに精通していないものであっても、評価対象である映像信号に重畳されているＶＢＩデータが正常であるか否かの判定を短時間で且つ容易に行うことができるようにしたＶＢＩデータ評価用装置を提供することを第２の目的とする。
【０００７】
また、本発明は、ＶＢＩデータに精通していないものであっても、評価対象である映像信号に重畳されているＶＢＩデータが意味する内容を短時間で且つ容易に確認することができるようにしたＶＢＩデータ評価用装置を提供することを第３の目的とする。
【０００８】
【課題を解決するための手段】
上記の目的を達成するため、第１の発明であるＶＢＩデータ評価用装置では、映像信号の垂直帰線消去期間に重畳されているデータであるＶＢＩデータを抽出する抽出手段と、該抽出手段によって抽出されたデータを表示する表示手段と、を備えている。
【０００９】
また、第２の発明では、上記第１の発明であるＶＢＩデータ評価用装置において、前記抽出手段によって抽出されたデータが基準データと一致しているか否かを判定する判定手段と、該判定手段での判定結果に応じた表示を行う第２の表示手段と、を備えているとともに、前記基準データを前記ＶＢＩデータがとり得るビットパターンをもったものとしている。尚、このとき、前記基準データのビットパターンを前記ＶＢＩデータがとり得る複数のビットパターンの中で切り替え可能であるようにしてもよい。
【００１０】
また、第３の発明では、上記第１の発明であるＶＢＩデータ評価用装置において、前記ＶＢＩデータがとり得る、それぞれ異なるビットパターンをもった複数の基準データの中から前記抽出手段によって抽出されたデータとビットパターンが一致するものを検出する検出手段と、該検出手段での検出結果に応じた表示を行う第２の表示手段と、を備えている。
【００１１】
【発明の実施の形態】
以下に本発明の実施形態を図面を参照しながら説明する。図１、図２はそれぞれ本発明の一実施形態であるＶＢＩデータ評価用装置１００−１の外観斜視図、内部ブロック図である。尚、本実施形態のＶＢＩデータ評価用装置１００−１は、ＮＴＳＣ方式の映像信号の第２０Ｈ、第２８３Ｈ（垂直帰線消去期間内）に重畳される２０ビットのＶＢＩデータを評価対象としたものである。
【００１２】
ＶＢＩデータ評価装置１００−１の正面には、ＶＢＩデータを表示する手段として２０個の発光ダイオード（以下、「ＬＥＤ」と言う）７−１、７−２、…、７−２０が、また、ＶＢＩデータの良否を表示する手段として２個のＬＥＤ８−１、８−２が、それぞれの発光部が外部に露出した形で配置されている。ＶＢＩデータ評価装置１００−１の側面には、判定モード切り替え用スイッチ４が設けられている。
【００１３】
入力端子１には、例えば、ＤＶＤプレーヤ２００によってＤＶＤから再生された映像信号が入力される。ＶＢＩデータ抽出部２は、入力端子１を介して入力される映像信号の第２０Ｈ、第２８３Ｈに重畳されている２０ビットのＶＢＩデータを抽出して出力する。
【００１４】
ＶＢＩデータ抽出部２の一構成例を図３に示す。入力された映像信号は２値化回路２１により基準電圧と比較されることにより２値信号に変換される。タイミング発生回路２２は、図４に示すように、入力端子１を介して入力される映像信号Ｖｉｄｅｏの第２０Ｈ及び第２８３Ｈにおいて所定の時間間隔で２０回パルスが現れる信号Ｓ１を生成してシフトレジスタ２３に供給するとともに、シフトレジスタ２３に供給する信号Ｓ１に２０回パルスが現れる毎に１回パルスが現れる信号Ｓ２を生成してラッチ回路２４に供給する。
【００１５】
シフトレジスタ２３は、２０個のフリップフロップが直列に接続された構成であり、先頭のフリップフロップには２値化回路２１から出力される信号が入力されている。そして、シフトレジスタ２３を構成する各フリップフロップはタイミング発生回路２２から供給される信号Ｓ１をストローブとして動作する。
【００１６】
ラッチ回路２４は、２０個のフリップフロップで構成されており、シフトレジスタ２３から出力される２０ビットの信号が入力されている。そして、ラッチ回路２４を構成する各フリップフロップはタイミング発生回路２２から供給される信号Ｓ２をストローブとして動作する。ラッチ回路２４に保持されている２０ビットのデータがＶＢＩデータ抽出部２の出力データとなる。
【００１７】
基準データ記憶部３は、ＶＢＩデータがとり得る、それぞれ異なるビットパターンをもった複数の基準データ（２０ビット）を記憶しており、これらの複数の基準データの中から判定モード切り替え用スイッチ４の状態に応じたデータをデータ判定部５に供給する。
【００１８】
データ判定部５は、ＶＢＩデータ抽出部２から出力されるデータと基準データ記憶部３から供給されるデータとが一致するか否かを判定し、この判定結果を表示制御部６に通知する。表示制御部６は、ＶＢＩデータ抽出部２から出力される２０ビットのデータのｋ番目（但し、ｋ＝１、２、…、２０）のビットが「１」であれば、ＬＥＤ７−ｋを点灯させ、同ビットが「０」であれば、ＬＥＤ７−ｋを消灯させる。
【００１９】
また、表示制御部６は、ＶＢＩデータ抽出部２から出力されるデータと基準データ記憶部３から供給されるデータとが一致するという判定結果がデータ判定部５から通知されている場合は、ＬＥＤ８−１を点灯、ＬＥＤ８−２を消灯させ、一方、これら２つのデータが一致しないという判定結果がデータ判定部５から通知されている場合は、ＬＥＤ８−１を消灯、ＬＥＤ８−２を点灯させる。
【００２０】
以上の構成により、第１実施形態のＶＢＩデータ評価用装置１００−１では、入力される映像信号から抽出したＶＢＩデータが２進表示で「１０…１」であるときには、ＬＥＤ７−１が点灯、ＬＥＤ７−２が消灯、…、ＬＥＤ７−２０が点灯するというように、ＶＢＩデータの個々のビットに応じて個々のＬＥＤ７−１、７−２、…、７−２０の点灯／消灯が切り替わるので、評価対象である映像信号に重畳されているＶＢＩデータを短時間で且つ容易に確認することができるようになる。
【００２１】
尚、ＶＢＩデータ評価用装置１００−１の筐体には、図１に示すように、ＬＥＤ７−１、７−２、…、７−２０の近傍にそれぞれが対応するビット位を示す「１」、「２」、…、「２０」の数字を表記しておくことによって、ＶＢＩデータの誤認を防止することができる。
【００２２】
また、第１実施形態のＶＢＩデータ評価用装置１００−１では、入力される映像信号から抽出したＶＢＩデータと基準データとが一致する場合（すなわち、抽出したＶＢＩデータが正常である場合）には、ＬＥＤ８−１が点灯、ＬＥＤ８−２が消灯した状態になり、一方、これら２つのデータが一致しない場合（すなわち、抽出したＶＢＩデータが正常でない場合）には、ＬＥＤ８−１が消灯、ＬＥＤ８−２が点灯した状態になるので、ＶＢＩデータに精通していない者であっても、評価対象である映像信号に重畳されているＶＢＩデータが正常であるか否かの判定を短時間で且つ容易に行うことができるようになる。
【００２３】
尚、ＶＢＩデータ評価用装置１００−１の筐体には、図１に示すように、ＬＥＤ８−１、８−２の近傍にそれぞれ「ＯＫ」、「ＮＧ」の文字を表記しておくことによって、ＶＢＩデータが正常であるか否かの誤判定を低減させることができる。
【００２４】
また、第１実施形態のＶＢＩデータ評価用装置１００−１では、映像信号から抽出したＶＢＩデータと比較する基準データのビットパターンを切り替えることができるので、例えば、入力される映像信号に重畳されているＶＢＩデータが「１６：９表示」を指定するものになっているか否かを判定するモード、「４：３レターボックス表示」を指定するものになっているか否かを判定するモード、「４：３パンスキャン表示」を指定するものになっているか否かを判定するモード、…というような複数の判定モードを実現することができる。
【００２５】
この第１実施形態のＶＢＩデータ評価用装置１００−１を用いてＤＶＤプレーヤから出力される映像信号のＶＢＩデータを評価する際の手順の一例を説明する。まず、ＤＶＤプレーヤでテスト用のディスクの再生を開始する（手順１）。次に、ＶＢＩデータ評価用装置１００−１のＬＥＤ７−１から７−２０の点灯状態、あるいは、ＬＥＤ８−１及び８−２の点灯状態を見ることによって、ＤＶＤプレーヤから出力される映像信号のＶＢＩデータが正常であるか否かを判定する（手順２）。
【００２６】
次に、映像信号に重畳されるＶＢＩデータのビットパターンを切り替える操作をＤＶＤプレーヤ２００側で行うとともに、基準データ記憶部３からデータ判定部５に供給される基準データがＤＶＤプレーヤ２００側での上記切り替え操作に対応したものとなるように判定モード切り替え用スイッチ４を用いて切り替える操作をＶＢＩデータ評価用装置１００−１側で行う（手順３）。以降は、手順２及び手順３を繰り返す。これにより、ＶＢＩデータがとり得る複数のビットパターンについて評価を行うことができる。
【００２７】
尚、上記第１実施形態においては、ＶＢＩデータの良否を表示する手段として設けるＬＥＤの数を１つにしておき、映像信号から抽出されたＶＢＩデータと基準データとのビットパターンが一致したときにはＬＥＤを点灯させ、一致しないときにはＬＥＤを消灯させる構成にしてもよい。このようにすれば、必要となるＬＥＤの数を減らすことができ、ＶＢＩデータ評価用装置のサイズ及びコストの面で有利である。
【００２８】
また、上記第１実施形態においては、映像信号から抽出されたＶＢＩデータと基準データとが一致したときに点灯させるＬＥＤ８−１として発光色が緑色のものを、一致しないときに点灯させるＬＥＤ８−２として発光色が赤色のものを使用するというように、ＶＢＩデータの良否を表示する２つのＬＥＤ８−１、８−２の発光色を異なるものとしておいてもよい。このようにしておけば、ＶＢＩデータが正常であるか否かの誤判定をより低減させることができる。
【００２９】
本発明の第２実施形態であるＶＢＩデータ評価用装置１００−２の外観斜視図、内部ブロック図をそれぞれ図５、図６に示す。尚、上記第１実施形態と同一部分には同一符号を付して説明を省略する。ＶＢＩデータ評価装置１００−２の正面には、上記第１実施形態でのＬＥＤ８−１、８−２の代わりに、入力される映像信号から抽出したＶＢＩデータが意味する内容を通知するための表示手段としてＬＥＤ１２−１、１２−２、１２−３、…、１２−ｎが、それぞれの発光部が外部に露出した形で配置されている。尚、上記第１の実施形態で設けられていた判定モード切り替え用スイッチ４は存在しない。
【００３０】
基準データ記憶部９は、ＶＢＩデータがとり得る、それぞれ異なるビットパターンをもった複数の基準データ（２０ビット）を記憶している。一致データ検出部１０は、基準データ記憶部９に記憶されている複数の基準データのうち、ＶＢＩデータ抽出部２から出力されるデータとビットパターンが一致する基準データを検出し、この検出結果を基にＬＥＤ１２−１、１２−２、…、１２−ｎの中で点灯させるべきものを表示制御部１１に対して指定する。
【００３１】
具体的には、例えば、複数の基準データが記憶されている各アドレスと各ＬＥＤ１２−１、１２−２、…、１２−ｎとを予め対応づけておき、ＬＥＤ１２−１、１２−２、…、１２−ｎの中で、ＶＢＩデータ抽出部２から出力されるデータとビットパターンが一致する基準データが記憶されているアドレスに応じたものを表示制御部１１に対して指定する。
【００３２】
表示制御部１１は、ＬＥＤ７−１〜７−２０については、第１実施形態の表示制御部６と同様にＶＢＩデータ抽出部２から出力されるデータに応じて点灯／消灯を切り替えるとともに、ＬＥＤ１２−１〜１２−ｎについては、一致データ検出部１０から指定されるもののみを点灯させる。
【００３３】
以上の構成により、第２実施形態のＶＢＩデータ評価用装置１００−２では、ＬＥＤ１２−１、１２−２、…、１２−ｎに関しては、入力される映像信号に重畳されているＶＢＩデータが意味する内容に応じたＬＥＤが点灯することになるので、ＶＢＩデータに精通していない者であっても、評価対象である映像信号に重畳されているＶＢＩデータが意味する内容を短時間で且つ容易に確認することができるようになる。
【００３４】
そして、図５に示すように、ＶＢＩデータ評価用装置１００−２の筐体には、ＬＥＤ１２−１、１２−２、１２−３、…の近傍にそれぞれ「１６：９表示」、「４：３レターボックス表示」、「４：３パンスキャン表示」、…という文字や数字を表記しておくというように、各ＬＥＤ１２−１、１２−２、１２−３、…が点灯したときには、評価対象である映像信号に重畳されているＶＢＩデータがどのような内容を意味しているかを示す情報を表記しておけば、評価対象である映像信号のＶＢＩデータが意味する内容の誤認を防止することができる。
【００３５】
この第２実施形態のＶＢＩデータ評価用装置１００−２を用いてＤＶＤプレーヤから出力される映像信号のＶＢＩデータを評価する場合は、第１実施形態のＶＢＩデータ評価用装置１００−１を用いてＤＶＤプレーヤから出力される映像信号のＶＢＩデータを評価する際の上記の手順３におけるＶＢＩデータ評価用装置側での判定モードの切り替え操作が不要になる。
【００３６】
尚、本発明は上記の実施形態に限定されるものではない。例えば、ＶＢＩデータが２進表示で「１１０…１」であるときには「１１０…１」という数字を表示するというように、ＶＢＩデータをキャラクタで表示する構成であってもよい。
【００３７】
また、ＶＢＩデータが正常である場合には「ＯＫ」という文字を、一方、正常でない場合には「ＮＧ」という文字をそれぞれ表示するというように、ＶＢＩデータが正常であるか否かをキャラクタで表示する構成であってもよい。
【００３８】
また、ＶＢＩデータが１６：９のアスペクト比で表示することを指定するビットパターンであるときには、「１６：９表示」という文字を表示するというように、ＶＢＩデータが意味する内容を適当なキャラクタを用いて表示する構成であってもよい。
【００３９】
【発明の効果】
以上説明したように、本発明のＶＢＩデータ評価用装置によれば、入力される映像信号からＶＢＩデータを抽出して表示するので、評価対象である映像信号に重畳されているＶＢＩデータを短時間で且つ容易に確認することができるようになる。
【００４０】
また、本発明のＶＢＩデータ評価用装置によれば、入力される映像信号から抽出したＶＢＩデータが正常であるか否かを判定し、その判定結果に応じた表示を行うので、ＶＢＩデータに精通していないものであっても、評価対象である映像信号に重畳されているＶＢＩデータが正常であるか否かを短時間で且つ容易に判定することができるようになる。
【００４１】
また、本発明のＶＢＩデータ評価用装置によれば、入力される映像信号から抽出したＶＢＩデータが意味する内容に応じた表示を行うので、ＶＢＩデータに精通していないものであっても、評価対象である映像信号に重畳されているＶＢＩデータが意味する内容を短時間で且つ容易に確認することができるようになる。
【図面の簡単な説明】
【図１】本発明の第１実施形態であるＶＢＩデータ評価用装置の外観を示す斜視図である。
【図２】本発明の第１実施形態であるＶＢＩデータ評価用装置の構成を示すブロック図である。
【図３】ＶＢＩデータ抽出部の一構成例を示す図である。
【図４】図３における各信号のタイミングチャートである。
【図５】本発明の第２実施形態であるＶＢＩデータ評価用装置の外観を示す斜視図である。
【図６】本発明の第２実施形態であるＶＢＩデータ評価用装置の構成を示すブロック図である。
【符号の説明】
１    入力端子
２    ＶＢＩデータ抽出部
３    基準データ記憶部
４    判定モード切り替え用スイッチ
５    データ判定部
６    表示制御部
７−１、７−２、…、７−２０    ＬＥＤ
８−１、８−２    ＬＥＤ
９    基準データ記憶部
１０    一致データ検出部
１１    表示制御部
１２−１、１２−２、…、１２−ｎ    ＬＥＤ
２１    ２値化回路
２２    タイミング発生回路
２３    シフトレジスタ
２４    ラッチ回路
【図１】
0003551374.tif 000002
【図２】
0003551374.tif 000003
【図３】
0003551374.tif 000004
【図４】
0003551374.tif 000005
【図５】
0003551374.tif 000006
【図６】
0003551374.tif 000007